(57)【要約】【課題】被検レンズが球面レンズであるか非球面レンズであるかを簡易且つ迅速に知ることのできるレンズ特定装置を提供すること。【解決手段】被検レンズ３０の光学特性の分布情報を測定する測定光学系２０と、測定光学系２０で測定された被検レンズ３０の球面度数の値とプリズムの値によって被検レンズ３０が球面レンズか非球面レンズかを判別する処理回路３７を有する。【選択図】図１
2006201186.tif 000002
【特許請求の範囲】
【請求項１】
被検レンズの光学特性の分布情報を測定するレンズ測定手段と、
前記レンズ測定手段で測定された前記被検レンズの球面度数の値とプリズムの値によって前記被検レンズが球面レンズか非球面レンズかを判別するレンズ判定手段を有することを特徴とするレンズ特定装置。
【請求項２】
前記レンズ判定手段は、前記レンズ測定手段で被検レンズ上の複数の位置で測定された被検レンズの複数のプリズムの値により前記被検レンズ上の測定位置を判断し、前記複数の位置に対応した複数の球面度数の値の比較により球面レンズか非球面レンズかを判別することを特徴とする請求項１に記載のレンズ特定装置。
【請求項３】
前記レンズ判定手段は前記被検レンズの光学中心からの非球面の程度を求めて表示手段に表示させることを特徴とする請求項１又は請求項２に記載のレンズ特定装置。
【請求項４】
前記レンズ判定手段は、前記被検レンズが球面レンズであるか非球面の単焦点レンズであるかを判断することを特徴とする請求項２に記載のレンズ特定装置。
【発明の詳細な説明】
【技術分野】
【０００１】
この発明は、被検レンズが球面レンズであるか非球面レンズであるかを求めるレンズ特定装置に関するものである。
【背景技術】
【０００２】
近年、眼鏡レンズとしては、累進多焦点レンズ、遠用非球面レンズが広く普及しつつある。この様なレンズと球面レンズとの区別を視覚的に行うことは非常に困難である。
【発明の開示】
【発明が解決しようとする課題】
【０００３】
しかしながら、従来のレンズメータ等の装置では、レンズの屈折特性を測定して表示することはできるものの、被検レンズが球面レンズか非球面レンズかを簡易に知ることはできなかった。
【０００４】
そこで、この発明は、被検レンズが球面レンズであるか非球面レンズであるかを簡易且つ迅速に知ることのできるレンズ特定装置を提供することを目的とするものである。
【課題を解決するための手段】
【０００５】
この目的を達成するため、請求項１の発明は、被検レンズの光学特性の分布情報を測定するレンズ測定手段と、前記レンズ測定手段で測定された前記被検レンズの球面度数の値とプリズムの値によって前記被検レンズが球面レンズか非球面レンズかを判別するレンズ判定手段を有するレンズ特定装置としたことを特徴とする。
【０００６】
また、請求項２の発明は、前記レンズ判定手段は、前記レンズ測定手段で被検レンズ上の複数の位置で測定された被検レンズの複数のプリズムの値により前記被検レンズ上の測定位置を判断し、前記複数の位置に対応した複数の球面度数の値の比較により球面レンズか非球面レンズかを判別することを特徴とする。
【０００７】
更に、請求項３の発明は、前記レンズ判定手段は前記被検レンズの光学中心からの非球面の程度を求めて表示手段に表示させることを特徴とする。
【０００８】
さらに、請求項４の発明は、前記レンズ判定手段は、前記被検レンズが球面レンズであるか非球面の単焦点レンズであるかを判断することを特徴とする。
【発明の効果】
【０００９】
これらの構成によれば、被検レンズが球面レンズであるか非球面レンズであるかを簡易且つ迅速に知ることができる。
【発明を実施するための最良の形態】
【００１０】
以下、この発明にかかるレンズ特定装置の実施の形態を図面にもとづいて説明する。
【００１１】
図１において、１はレンズメーター、２はレンズメーター１の本体、３は本体２の上部に設けられたＣＲＴ又は液晶ディスプレイ等のモニター、３ａはそのモニター３の表示画面（表示部）、４は本体２の前側に設けられた上光学部品収納部、５は上光学部品収納部の下方に位置させて設けられた下光学部品収納部、６は下光学部品収納部５の上端に設けられたレンズ受けテーブル、７は両収納部５、６間に位置して本体２の正面に前後移動調整可能に保持されたレンズ当て、８は本体２の横側に前後回動可能に保持されたレンズ当て操作用のレバーで、このレバー８の前後回動によりレンズ当て７が前後移動調整されるようになっている。
【００１２】
そのレンズ当て７の上縁部にはスライダ９ａが左右動自在に保持され、このスライダ９ａには鼻当て支持部材９が上下回動可能に保持されている。この鼻当て支持部材９は、図示を略すスプリングで上方にバネ付勢されていると共に水平位置で上方への回動が規制されるようになっている。この鼻当支持部材９を利用してメガネＭの被検レンズＳＬ（３０）の屈折特性値を測定する場合には、図２に示した様に、メガネＭの鼻当Ｂを鼻当支持部材９に上方から当てて、鼻当支持部材９を下方に回動させると共に左右に移動させながら被検レンズＳＬ（３０）を後述するレンズ受１３に当接させる。尚、１０はモード等を切り換えるためのメニュー用のボタン（スイッチ）である。
【００１３】
このレンズ受けテーブル６には、図３に示す段付き取り付け孔１２が形成されている。この取り付け孔１２にはレンズ受け１３が設けられる。
【００１４】
このレンズ受け１３には円形の未加工レンズ（生地レンズ）、加工済みレンズ、あるいは眼鏡フレームに枠入りされたままの眼鏡レンズがセットされる。
【００１５】
本体２内には図３に示す測定光学系２０がレンズ測定手段として設けられている。測定光学系２０は、光源部（照明光学系）２０ａと受光部（受光光学系）２０ｂを有する。
【００１６】
光源部２０ａは、測定光束発生用の光源２１、ピンホール板２２、ミラー２５、及びコリメートレンズ２６をこの順に有する。図３中、２７は集光用凹面鏡を示す。光源２１は紫外線から赤外線までの波長光を射出するハロゲンランプから構成され、光源２１はＬＥＤから構成されている。
【００１７】
また、受光部２０ｂは、  パターン板２８，スクリーン３２，ミラー３３，結像レンズ３４及びＣＣＤカメラ３６のエリアCCD３５を有する。
【００１８】
レンズ受けテーブル６にはレンズ受け１３がセットされる。このレンズ受け１３は、約１０００個程度の多数の小孔が形成されたパターン板２８とレンズ受けピン２９とから構成されている。
【００１９】
従って、光源２１からの光束は、ピンホール板２２のピンホール２２ａ，ミラー２５，コリメートレンズ２６を介してレンズ受け１３上の被検レンズ３０に投影される。この被検レンズ３０を透過した光束は、パターン板２８の小孔をスクリーン３２に投影される。この際、パターン板２８の図示しない多数の小孔を透過した光束は被検レンズ３０の屈折力に応じて間隔が変化させられてスクリーン３２に投影される。
【００２０】
このスクリーン３２に投影された小孔のパターンは、ミラー３３，結像レンズ３４を介してＣＣＤカメラ３６のエリアCCD３５に結像させられる。このエリアCCD３５からの出力を基にレンズ判定手段としての処理回路（演算処理回路）３７でマッピング処理を行うことにより、被検レンズ３０の球面度数分布や円柱度数分布等のマッピングを行うことができる。このマッピングをモニター３に表示させることができる。このマッピングの構成には周知の技術を採用しているので、その詳細な説明は省略する。
【００２１】
また、レンズ判定手段としての処理回路３７が、被検レンズ上での球面度数の値の分布によって、被検レンズが球面レンズか非球面レンズかを判別する様に設定されている。この場合の、球面レンズか非球面レンズかの判断結果は、モニター３の画面３ａの最下部に「球面レンズ」又は「非球面レンズ」の様に文字表示させる様にする。この場合には、被検レンズが球面レンズか非球面レンズかを容易に知ることができる。
【００２２】
尚、上述した実施例では、パターン板２８による度数分布のマッピングが可能なレンズメータを用いて被検レンズが球面レンズか非球面レンズかの測定を行わせるようにしたが、必ずしもこれに限定されるものではない。例えば、このパターン板２８がない通常のレンズメータを用いて、被検レンズが球面レンズか非球面レンズかの測定を行わせるようにすることもできる。
【００２３】
即ち、メガネの左右のレンズ（被検レンズ）の一方を既存のレンズメータのレンズ受上に配設して、このレンズを単に前後に移動させながら、例えば０．１秒毎（所定時間毎）にレンズのプリズム値を測定させることにより、レンズのプリズム値の測定を時間的に異ならせて複数点で測定して、この複数点のプリズム値からレンズメータに内蔵される処理回路３７（演算制御回路）により被検レンズが球面レンズか非球面レンズかの判断を行うようにすることもできる。この場合には、メガネの左右のレンズ（被検レンズ）が累進レンズであるか単レンズであるか、及び単レンズである場合には球面レンズであるか非球面レンズであるか等を、既存のレンズメータの基本的構成を変えることなく単にプログラムを設定するのみで簡易に行うことができる。
【００２４】
この様に、被検レンズ上での球面度数の値とプリズムの値によって、被検レンズが球面レンズか非球面レンズかを処理回路３７が判別する様に設定する場合には、少なくとも中心部、中間部、周縁部等の３カ所以上の点の球面度数とプリズム値を求めるようにする。そして、この求めた複数の球面度数とプリズム値をメモリ１〜メモリｎにそれぞれ記憶させ、各メモリ１〜メモリｎに記憶された球面度数及びプリズム値を処理回路３７で比較させる。この際、被検レンズの中心部の値と周縁部の値とを比較することで、被検レンズが球面レンズか非球面レンズかを判断できる。即ち、レンズ判定手段としての処理回路３７は、被検レンズの中心部の球面度数に比べて周辺部の球面度数の値が小さいとき、非球面レンズと判断できるからである。この際、レンズ判定手段は、被検レンズの中心部か周辺部かの区別をプリズム値の大小で判断する。
【００２５】
尚、累進レンズの場合も、被検レンズ上での球面度数の値は変化する。しかし、被検レンズの中心部に比べて周辺部に球面度数の部分的に大きい部分があるときには、累進多焦点レンズ或いは二重焦点レンズと判断できるので、被検レンズが累進多焦点レンズや二重焦点レンズであるか又は単レンズであるか、或いは球面レンズや非球面レンズであるかを容易に判断できる。そして、この場合の、球面レンズか非球面レンズかの判断結果もモニター３の画面の最下部に表示させる様にする。
【００２６】
この様なプリズム値を考慮せずに、被検レンズ３０が累進多焦点レンズ又は単レンズ，球面レンズ，非球面レンズ等の判断を行うようにすることもできる。即ち、図３の矢印の位置ａ0，ａ１，ａ２で示した球面度数Ｓ０，Ｓ１，Ｓ２の内、特に位置ａ１，ａ２で示した球面度数Ｓ１，Ｓ２の比較によって知ることができる。
【００２７】
例えば、図４に示したメガネ（眼鏡）のメガネレンズ３０の丸１で示した下になる部分と丸２で示した上になる部分の球面度数Ｓ１，Ｓ２を測定して、その差の絶対値の大きさを確認することで、被検レンズとしてのメガネレンズ３１が累進多焦点レンズ又は単レンズ，球面レンズ，非球面レンズ等のいずれであるかを知ることができる。
【００２８】
即ち、図１に示したレンズメータを自動累進判別モードにして、図５に示した様に、表示画面３ａの上部に「累進判別」の表示をさせる。また、球面度数Ｓ，円柱度数Ｃ，円柱軸角度Ａ，プリズム値Ｐ[上側がＸ方向（左右方向）のプリズム値Ｐｘを示し，下側がＹ方向（前後方向）のプりズム値Ｐｙを示す。）]等を表示画面３ａの右上に表示させると共に、測定位置を指示する表示４０を表示画面３ａの左下に表示させる。表示４０には模式的メガネレンズ形状４１が表示され、丸１がメガネレンズの下側に位置する部分に表示されているので、表示４０のメガネレンズ形状４１にはメガネレンズの下側に位置する部分の屈折特性を測定することが指示されている。
【００２９】
尚、図５中、同心円状のマークＭ１，Ｍ２は、測定光学系２０の測定光軸と同心の位置を表すマークである。また、Ｔは十字状のターゲットのマークである。
【００３０】
従って、図１，図２に示したように、メガネＭの鼻当Ｂを鼻当支持部材９に当てて、鼻当支持部材９を下方に回動させると共に左右に移動させながら、メガネＭの被検レンズ３０を左右方向の略中央でレンズ受１３上にセットする。そして次に、レバー８を手前に倒して、レンズ当７を手前側に移動させ、図４に示した被検レンズ３０の丸１で示した下側に相当する部分をレンズ受１３を目安に測定光学系の略中心に合わせる。この位置で、被検レンズ３０の移動を停止させ、被検レンズ３０の球面度数をＳ１として測定して、メモリ１に記憶させる。
【００３１】
この測定が終了して記憶されると、処理回路３７は図６（ａ）に示したように表示４０のメガネレンズ形状４１に丸２で示した部分、即ちメガネレンズの上側に相当する部分の屈折特性の測定を指示する。
【００３２】
従って、レバー８を上方に回動させて、レンズ当７を本体２側に移動させ、図４に示した被検レンズ３０の丸２で示した部分をレンズ受１３を目安に測定光学系の略中心に合わせる。この位置で、被検レンズ３０の移動を停止させ、被検レンズ３０の球面度数をＳ２として測定して、メモリ２に記憶させる。
【００３３】
この球面度数Ｓ１，Ｓ２の差の絶対値が所定値（例えば０．５Ｄ）より大きいか否かを、即ち
｜Ｓ１−Ｓ２｜＞｜０．５Ｄ｜
であるか否かを処理回路３７により判断させる。
【００３４】
｜Ｓ１−Ｓ２｜が｜０．５Ｄ｜より大きい場合、処理回路３７は被検レンズ３０が累進レンズであると判断する。そして、処理回路３７は、図７に示したように、表示画面３ａに模式的なメガネレンズ形状４１を拡大して表示させると共に、遠用部４２，累進部４３及び近用部４４と歪み領域４５，４５とを区画する境界線４６，４６を表示させる。この状態で、レバー８を手前に倒して、レンズ当７を手前側に移動させる。これにより、処理回路３７は、図８の如く測定した部分を斜線４７で表示させると共に斜線４７を遠用部４２から累進部４３及び近用部４４側に向けて徐々に広げて、遠用部４２から累進部４３及び近用部４４側に向けて測定が順次行われていることを表示する。
【００３５】
一方、球面度数Ｓ１，Ｓ２の差の絶対値が所定値（例えば０．５Ｄ）より小さい場合には、処理回路３７は被検レンズ３０が単レンズであると判断する。そして、処理回路３７は、球面度数Ｓ１，Ｓ２の差の絶対値が略同じである場合には球面レンズであると判断し、球面度数Ｓ１，Ｓ２の差の絶対値が略０．１程度あれば非球面レンズであると判断する。そして、この様な判断に基づく結果は、例えば図６（ｂ）に示したように、表示画面３ａの右下に「非球面レンズ」等の様に表示する。
【００３６】
以上説明したように、請求項１の発明は、被検レンズの光学特性の分布情報を測定するレンズ測定手段と、前記レンズ測定手段で測定された前記被検レンズの球面度数の値とプリズムの値によって前記被検レンズが球面レンズか非球面レンズかを判別するレンズ判定手段を有する構成としたので、前記被検レンズが球面レンズか非球面レンズかをより容易に知ることができる。この場合、被検レンズの中心部の球面度数に比べて周辺部の球面度数の値が小さいときは、非球面レンズと判断することができる。また、被検レンズの中心部か周辺部かの区別はプリズム値の大小で判断することもできる。しかも、累進レンズの場合も、球面レンズや非球面レンズのように被検レンズ上での球面度数の値は変化するが、被検レンズの中心部に比べて周辺部に球面度数の部分的に大きい部分があるときには、累進多焦点レンズ或いは二重焦点レンズと判断できる。この判断はプリズム量の変化から判断できる。
【図面の簡単な説明】
【００３７】
【図１】この発明に係るレンズ特定装置としてのレンズメータの斜視図である。
【図２】図１のレンズメータの使用例を示す部分拡大説明図である。
【図３】図１に示したレンズメータの光学系を示す説明図である。
【図４】図１に示した被検レンズの説明図である。
【図５】図１〜図３に示したレンズメータの表示部への表示例を示す説明図である。
【図６】（ａ），（ｂ）は、図１〜図３に示したレンズメータの表示部への表示例を示す説明図である。
【図７】図１〜図３に示したレンズメータの表示部への表示例を示す説明図である。
【図８】図１〜図３に示したレンズメータの表示部への表示例を示す説明図である。
【符号の説明】
【００３８】
２０・・・測定光学系（レンズ測定手段）
３１・・・被検レンズ
３７・・・処理回路（レンズ判定手段）
【図１】
2006201186.tif 000003
【図２】
2006201186.tif 000004
【図３】
2006201186.tif 000005
【図４】
2006201186.tif 000006
【図５】
2006201186.tif 000007
【図６】
2006201186.tif 000008
【図７】
2006201186.tif 000009
【図８】
2006201186.tif 000010